(57)【要約】【課題】  通常のコンテナを、種芋が貯留されるタンクの代わりとして使用することができる種芋プランタを提供する。【解決手段】  種芋を貯留する種芋貯留容器３１と、この種芋貯留容器３１を支持する受け台３２と、種芋貯留容器３１から排出される種芋を受ける受け皿３３とを備え、種芋貯留容器３１は、受け台３２から離反可能な上端開口状の箱形のコンテナ３６と、このコンテナ３６の開口３８を塞ぐべく該コンテナ３６に着脱自在に取り付けられる蓋体３７とを備えてなり、蓋体３７は、コンテナ３６の開口の一部を開閉することができる開閉蓋４４を備え、前記蓋体３７が受け皿３３を臨むように前記コンテナ３６を横向きにして受け台３２に支持して、開閉蓋４４を開くことによりコンテナ３６内に貯留した種芋が受け皿３３へと排出されるように構成する。【選択図】図１
2009039005.tif 000002
【特許請求の範囲】
【請求項１】
圃場に種芋を植え付ける種芋プランタであって、
種芋を貯留する種芋貯留容器（３１）と、この種芋貯留容器（３１）を支持する受け台（３２）と、種芋貯留容器（３１）から排出される種芋を受ける受け皿（３３）とを備え、
前記種芋貯留容器（３１）は、受け台（３２）から離反可能な上端開口状の箱形のコンテナ（３６）と、このコンテナ（３６）の開口（３８）を塞ぐべく該コンテナ（３６）に着脱自在に取り付けられる蓋体（３７）とを備えてなり、
前記蓋体（３７）は、コンテナ（３６）の開口の一部を開閉することができる開閉蓋（４４）を備え、
前記蓋体（３７）が受け皿（３３）を臨むように前記コンテナ（３６）を横向きにして受け台（３２）に支持して、開閉蓋（４４）を開くことによりコンテナ（３６）内に貯留した種芋が受け皿（３３）へと排出されるように構成されていることを特徴とする種芋プランタ。
【請求項２】
前記蓋体（３７）は既製品のコンテナ（３６）に適合するものであることを特徴とする請求項１に記載の種芋プランタ。
【請求項３】
前記蓋体（３７）に、開閉蓋（４４）で開閉される種芋排出口（４３）をコンテナ（３６）の開口（３８）の一側縁部寄りに位置させて設け、コンテナ（３６）を横向きにして受け台（３２）に支持した状態で、前記種芋排出口（４３）がコンテナ（３６）の下部側に位置するよう構成されていることを特徴とする請求項１又は２に記載の種芋プランタ。
【発明の詳細な説明】
【技術分野】
【０００１】
本発明は、圃場に種芋を植え付ける種芋プランタに関するものである。
【背景技術】
【０００２】
従来、圃場に種芋を植え付ける種芋プランタとして、例えば、特許文献１に開示された種芋プランタがある。
この種芋プランタは、トラクタの後部に装着されて圃場を移動しながら種芋を植え付けるものであり、トラクタの後方に位置する種芋植付装置と、この種芋植付装置の後方に配置された畝整形器及びマルチフィルム敷設装置を備えている。
前記種芋植付装置は、種芋を貯留するタンクと、このタンクの下端側から排出される種芋を圃場に形成された植付溝へと搬送する種芋搬送装置とを備えている。
【特許文献１】実公平６−１３６１９号公報
【発明の開示】
【発明が解決しようとする課題】
【０００３】
前記従来の種芋プランタにあっては、種芋をタンクに供給するのに、上端開口状の箱形のコンテナに種芋を入れ、このコンテナをタンクの上面側の投入口の上方まで持ち上げて、該コンテナ内の種芋を投入口からタンク内に落下投入しており、種芋をタンクに供給するのにコンテナを高い位置まで持ち上げなければならず重労働であるという問題がある。また、コンテナからタンクに種芋を移し替える際に種芋がこぼれるという問題もある。
そこで、本発明は、前記問題点を解決した種芋プランタを提供することを目的とする。
【課題を解決するための手段】
【０００４】
前記技術的課題を解決するために本発明が講じた技術的手段は、圃場に種芋を植え付ける種芋プランタであって、
種芋を貯留する種芋貯留容器と、この種芋貯留容器を支持する受け台と、種芋貯留容器から排出される種芋を受ける受け皿とを備え、
前記種芋貯留容器は、受け台から離反可能な上端開口状の箱形のコンテナと、このコンテナの開口を塞ぐべく該コンテナに着脱自在に取り付けられる蓋体とを備えてなり、
前記蓋体は、コンテナの開口の一部を開閉することができる開閉蓋を備え、
前記蓋体が受け皿を臨むように前記コンテナを横向きにして受け台に支持して、開閉蓋を開くことによりコンテナ内に貯留した種芋が受け皿へと排出されるように構成されていることを特徴とする。
【０００５】
また、蓋体は既製品のコンテナに適合するものであるのがよい。
また、前記蓋体に、開閉蓋で開閉される種芋排出口をコンテナの開口の一側縁部寄りに位置させて設け、コンテナを横向きにして受け台に支持した状態で、前記種芋排出口がコンテナの下部側に位置するよう構成されているのがよい。
【発明の効果】
【０００６】
本発明によれば、種芋を貯留する種芋貯留容器を、受け台から離反可能なコンテナと、該コンテナの開口を塞ぐ蓋体とを備えて構成し、種芋の入ったコンテナを直接受け台にセットするようにしているので、従来のように種芋の入ったコンテナをタンクの上方側へと持ち上げる必要がなくなり労働力の軽減が図れる。
また、コンテナは蓋体をした状態で受け台にセットするので、種芋がこぼれることがない。
また、コンテナの開口を塞ぐ蓋体に、種芋排出口と、該種芋排出口を開閉自在に閉塞する開閉蓋を設けており、コンテナに加工をする必要がなく、通常の（市販の）コンテナを使用することができる。
【発明を実施するための最良の形態】
【０００７】
以下、本発明の実施の形態を図面を参照して説明する。
図２において、１は、走行体として例示するトラクタ２の後部に装着手段として例示する三点リンク機構３を介して取り付けられて圃場を移動しながら該圃場に種芋を植え付ける種芋プランタである。
本実施の形態で例示する種芋プランタ１は、種芋植付装置４と、畝整形器５と、マルチフィルム敷設装置６とを備えていて、種芋の植え付けと、畝Ｒの整形と、マルチフィルムＦの敷設とを一工程で行えるようにした種芋プランタ１である。
【０００８】
トラクタ２は、エンジン及びミッションケース等によって車体７が構成され、該車体７の後部に運転席８が設けられていると共に該車体７を左右一対の前後の車輪９によって走行可能に支持している。
前記車体７の後部には、上面側に作業機昇降用の油圧式昇降装置１０が設けられ、後面側に作業機に動力を伝達するＰＴＯ軸１１が後方突出状に設けられている。
また、車体７の後部には、上部の１本のトップリンク１２と、下部の左右一対のロワーリンク１３とからなる三点リンク機構３が設けられ、この三点リンク機構３の後端側にヒッチフレーム１４が設けられ、左右のロワーリンク１３は、油圧式昇降装置１０に設けられた左右のリフトアーム１５に連結部材１６を介して連結されている。
【０００９】
一方、種芋プランタ１の前部側には作業機連結フレーム１７が設けられ、この作業機連結フレーム１７が前記ヒッチフレーム１４にワンタッチで着脱自在に連結され、リフトアーム１５を上下に揺動させることにより、種芋プランタ１が昇降可能とされている。
畝整形器５及マルチフィルム敷設装置６は種芋植付装置４の後方に配置されており、マルチフィルム敷設装置６は、ＰＴＯ軸１１からの動力が入力されるギヤケース１８と、該ギヤケース１８から左右に延出状として設けられたパイプフレーム１９と、該パイプフレーム１９の延出端部に固定されたチェーンケース２０と、該チェーンケース２０の下端側に左右方向に設けられた回転軸２１に設けられたディスクロータ２２と、該ディスクロータ２２の上方側を覆うロータカバー２３とを備えており、畝整形器５は、ディスクロータ２２の後方側に設けられている。
【００１０】
前記ギヤケース１８及びパイプフレーム１９等が作業機連結フレーム１７に連結されている。
マルチフィルム敷設装置６は、さらに、畝整形器５の後部側方に配置されたゲージ輪２４と、畝整形器５の頂部後方側に配置されていてマルチフィルムＦが巻回されたフィルムロール２５と、該フィルムロール２５から巻き出されるマルチフィルムＦを受けて該マルチフィルムＦを畝Ｒの上面に沿わせるフィルム受けロール２６と、該フィルム受けロール２６の後方の畝Ｒの左右両側に配置されていてマルチフィルムＦの左右の裾を押さえるフィルム押え輪２７と、左右各フィルム押え輪２７の後方に配置された覆土輪２８とを備えている。
【００１１】
前記ディスクロータ２２を駆動しながらトラクタ２を前進走行させると、ディスクロータ２２によって耕土が左右方向中央に寄せ集められて畝整形器５によって畝Ｒが形成され、この畝Ｒは、フィルムロール２５から巻き出されたマルチフィルムＦによって覆われると共に該マルチフィルムＦの左右の裾がフィルム押え輪２７によって押さえられつつ該マルチフィルムＦの裾に覆土輪２８によって土が被せられるよう構成されている。
種芋植付装置４は、トラクタ２の後側で且つマルチフィルム敷設装置６の前側に配置され、この種芋植付装置４の後側には、マルチフィルム敷設装置６のディスクロータ２２の上側に位置する作業者着座用の座席２９が配置されている。
【００１２】
種芋植付装置４は、種芋を貯留する種芋貯留容器３１と、この種芋貯留容器３１を支持する受け台３２と、種芋貯留容器３１から排出される種芋を受ける受け皿３３と、圃場に植付溝を形成する作溝器３４と、種芋を受け皿３３側から植付溝に搬送する種芋搬送装置３５とを備えている。
前記種芋貯留容器３１は、図１及び図３に示すように、受け台３２から離反可能な上端開口状の箱形のコンテナ３６と、このコンテナ３６の開口３８を塞ぐべく該コンテナ３６に着脱自在に取り付けられる蓋体３７とを備えてなる。
【００１３】
前記コンテナ３６は、具体的には、底壁３９と該底壁３９の４辺の各縁部から立ち上がる前後左右４面の側壁４０とから主構成されていて上端開口状の略直方体形状を呈する箱形容器であり、種芋の収容に通常使用されている既製品（市販品）の樹脂製のコンテナ３６が採用されており、該コンテナ３６の上端には、水平方向外方に向けて延出するフランジ４１が全周にわたって設けられている。
なお、図示したコンテナ３６は、一例を示したものであり、他の形状の既製のコンテナを採用しても勿論よい。
【００１４】
蓋体３７は、前記既製品のコンテナ３６に適合するものであり、コンテナ３６の開口３８を塞ぐ蓋本体４２と、該蓋本体４２に形成された種芋排出口４３と、該種芋排出口４３を開閉自在に塞ぐ開閉蓋４４と、蓋本体４２をコンテナ３６に止めておくための止め金具４５とを備えている。
蓋本体４２は、例えば、樹脂によって形成され、コンテナ３６の開口端側の形状に略一致する長方形に構成されている。また、本実施の形態では、蓋本体４２がコンテナ３６の上端に前後左右の位置規制がなされるように嵌合すべく、蓋本体４２の主要部分４２ａの縁部に縁部壁４２ｂが設けられている。
【００１５】
種芋排出口４３はコンテナ３６内の種芋を外部に排出させるための開口であり、該種芋排出口４３は、本実施の形態では、コンテナ３６の開口３８の、長手方向に直交する方向で相対する対向縁部の一方の縁部側寄りに位置させて形成され、且つコンテナ３６の開口３８の長手方向一端から他端にわたるように形成されている。
開閉蓋４４は、例えば、樹脂によって形成され、蓋本体４２の上面（外面）側に種芋排出口４３を塞ぐように重合している。
この開閉蓋４４は、固定手段４６によって蓋本体４２に固定され且つ該固定手段４６を解除することにより蓋本体４２の長手方向に直交する方向にスライド自在とされると共に任意のスライドした位置で固定手段４６によって蓋本体４２に対して固定可能とされている。
【００１６】
具体的には、蓋本体４２には該蓋本体４２の長手方向に直交する方向に長い長孔４７が一対形成されると共に該蓋本体４２には前記長孔４７を挿通するボルト４６Ａが固定され、このボルト４６Ａに蝶ナット等のナット部材４６Ｂを螺合し該ナット部材４６Ｂを締め付けることにより、開閉蓋４４が蓋本体４２に固定されるように構成されており、ボルト４６Ａ及びナット部材４６Ｂが固定手段４６を構成している。
そして、前記ナット部材４６Ｂを緩めることにより、開閉蓋４４が蓋本体４２の長手方向に直交する方向にスライド可能とされ、開閉蓋４４を蓋本体４２の長手方向に直交する方向にスライドさせることにより、種芋排出口４３が開閉可能とされている。
【００１７】
なお、開閉蓋４４は、蓋本体４２にヒンジ等によって取り付けられて、揺動することにより種芋排出口４３を開閉でき且つ種芋排出口４３を閉塞した位置と種芋排出口４３を開放した位置とに位置決めできるようにしてもよく、種芋排出口４３を開閉自在に閉塞できるようになっていればよい。
また、種芋排出口４３は蓋本体４２に形成された孔によって構成されているが、これに限定されることはなく、開閉蓋４４で開閉されるコンテナ３６の開口の一部が種芋を排出可能な排出口となるように構成されていればよい。
【００１８】
また、止め金具４５は、本実施の形態では、蓋本体４２の縁部壁４２ｂ及びコンテナ３６上端のフランジ４１に係脱自在に係合するバネ板からなる係止部材４８と、この係止部材４８を操作するレバー部材４９とから構成されたパッチン錠によって構成されている。
なお、パッチン錠以外のその他の止め金具によって蓋本体４２をコンテナ３６に止めておくようにしてもよい。また、止め金具４５を設けなくてもよく、図３（ｃ）に示すように、蓋本体４２の長手方向に直交する方向の縁部壁４２ｂに、蓋本体４２の主要部分４２ａとでコンテナ３６のフランジ４１を挟む係合壁４２ｃを設け、蓋本体４２をコンテナ３６に対して、開口３８の長手方向に直交する方向にスライド自在で且つ開口３８の長手方向に直交する方向で係脱自在とするようにしてもよい。
【００１９】
また、止め金具４５は、必ずしも蓋体３７側に設けられる必要はなく、既製品のコンテナ３６が蓋体３７を止めるためのパッチン錠等の止め金具を備えているものにあっては、該コンテナ３６側の止め金具を利用すればよい。
前記受け台３２は、例えば、載置壁５１と、この載置壁５１の前端側から立ち上がる前部壁５２と、載置壁５１の後端側から立ち上がる後部壁５３とを有し、種芋搬送装置３５の前上方に配置され、載置壁５１が種芋搬送装置３５の上部にブラケット５４を介して支持されている。
【００２０】
この受け台３２は、載置壁５１が後方（作業者側）に行くに従って下方に移行する傾斜状に設けられており、載置壁５１の上面である載置面５５が後方に行くに従って下方に移行する傾斜面とされている。
また、受け皿３３は、底壁５６と左右の側壁５７と後壁５８とを備え、前面側及び上面側が開放状とされており、その前端側が受け台３２の後壁５３上面に固定されていて、該受け皿３３は後方（座席２９側、作業者側）に行くに従って下方に移行する傾斜状とされている。
【００２１】
前記種芋貯留容器３１は、受け台３２から降ろした状態でコンテナ３６内に種芋が入れられ、そして、蓋本体４２がコンテナ３６に取り付けられて該蓋本体４２でコンテナ３６の開口３８が閉塞され且つ種芋排出口４３を開閉蓋４４で閉鎖した状態で受け台３２の載置面５５上に載置される。
また、詳しくは、種芋貯留容器３１は、図１に示すように、受け台３２の載置面５５上の前後壁５２，５３間に、蓋体３７が受け皿３３を臨むように（蓋体３７が後方側を向くように）且つ種芋排出口４３がコンテナ３６の下部側に位置するようにコンテナ３６を横向きにして載置され、種芋貯留容器３１は受け台３２の前壁５２でその前方移動が規制され、受け台３２の後壁５３で種芋貯留容器３１の後方移動が規制される。
【００２２】
このようにして種芋貯留容器３１が受け台３２上に載置された状態で、受け皿３３は種芋排出口４３の後方に位置し、受け皿３３の底壁５６の上面は種芋排出口４３の下面と略面一状とされ、開閉蓋４４は受け皿３３の底壁５６上方に位置しており、また、種芋貯留容器３１は、後方に行くに従って下方に移行する傾斜状として受け台３２上に載置されている。
したがって、種芋貯留容器３１が受け台３２上に載置された状態で、開閉蓋４４の固定を緩めると共に（ナット部材４６Ｂを緩めると共に）該開閉蓋４４を上方にスライドさせて種芋排出口４３を開くと、該種芋排出口４３からコンテナ３６内の種芋が自重によって転げ落ちる又は滑り落ちるようにして受け皿３３上へと少量ずつ（適量）排出される。
【００２３】
また、作業中、開閉蓋４４は、上方にスライドさせた位置（種芋排出口４３を解放した状態）でナット部材４６Ｂを締め付けて固定しておく。
この種芋を受け皿３３上に適量、排出させるのには、種芋排出口４３を種芋が受け皿３３上に適量、排出される大きさに形成するか、又は種芋排出口４３を大きめに形成しておいて、開閉蓋４４を開ける量によって、種芋が適量排出されるように調整するようにする。
なお、種芋貯留容器３１が受け台３２上に載置された状態で、受け皿３３の底壁５６の上面が種芋排出口４３の下面と必ずしも面一状とされる必要はなく、種芋貯留容器３１が受け台３２上に載置された状態において、受け皿３３の底壁５６の上面が種芋排出口４３（の下面）よりも下方側に位置するようになっていればよい（コンテナ３６内の種芋が受け皿３３へと排出されるように構成されていればよい）。
【００２４】
また、本実施の形態では、前記受け台３２の後部に、載置壁５１上に載置された種芋貯留容器３１の後端側の左右両側の、開閉蓋と干渉しない部分に係合して該種芋貯留容器３１の後方への倒れを防止すると共に種芋貯留容器３１の左右方向の位置規制をする左右一対の後規制部５９を設け、受け台３２の前部に、載置壁５１上に載置された種芋貯留容器３１の前端側の左右両側に係合して該種芋貯留容器３１の左右方向の位置規制をする左右一対の前規制部６０を設けている。
また、受け台３２に、種芋貯留容器３１を取付固定することができる固定手段４６を設けてもよい。
【００２５】
また、前述した種芋貯留容器３１及び受け台３２並びに受け皿３３は一例を示したものであり、その構造としては本実施の形態のものに限定されることはなく、種芋貯留容器３１は、容器の本体として既製のコンテナ３６を使用していると共に該コンテナ３６の開口３８を閉塞できる蓋体３７を備え、且つ該蓋体３７がコンテナ３６内の種芋を排出させるべくコンテナ３６の開口の一部を開閉させることができるものであればよく、また、受け台３２は、種芋を排出させることができる姿勢で種芋貯留容器３１を座席２９に着座した作業者（受け皿３３）に向けて下向き傾斜状に載置でき且つ載置された種芋貯留容器３１の前後左右の位置決めができる構造のものであればよい。
【００２６】
また、受け台３２と受け皿３３とを別個に形成して受け皿３３を受け台３２に固定するようにしてもよいし、受け台３２と受け皿３３とを一体形成するようにしてもよい。
前記作溝器３４は、前端が略三角形状の先鋭舟形に形成されていて、その後部は拡開状に形成され、該作溝器３４の後端側には、種芋の植付作業時に後方のディスクロータ２２から飛散する砕土が種芋に当たるのを防止する土遮断板６１が立設されている。
前記種芋搬送装置３５は、横フレームと縦フレームとを正面視方形状に組んで構成された装置フレーム６２と、この装置フレーム６２の上下左右の適宜箇所に設けられた前後軸回りに回動自在なガイドプーリにわたって掛装されたエンドレスの搬送ベルト６３と、この搬送ベルト６３上に一定間隔をおいて設けられた多数の挟持装置６４とを備えている。
【００２７】
なお、種芋プランタ１には、圃場に接地し、トラクタ２を走行することにより回転する駆動輪６６が設けられ、この駆動輪６６の回転力によって種芋搬送装置のガイドプーリの一つを回転駆動することにより搬送ベルト６３が循環回走されるよう構成されている。
前記装置フレーム６２の上部の前部側には、受け台３２を支持する前記ブラケット５４が取付固定され、装置フレーム６２の上部の後部側には、作業者着座用の座席２９を支持する座席フレーム６７が平行リンク６８を介して昇降可能に取り付けられ、座席フレーム６７の後部はローラ６９等を介してゲージ輪２４を支持する支持アーム７０に支持されている。
【００２８】
前記挟持装置６４は、図４に示すように、搬送ベルト６３上に固定された底壁７１ａと種芋搬送方向Ａ後端側に設けられた縦壁７１ｂとから側面視Ｌ字状に形成された受けプレート７１と、この受けプレート７１の底壁７１ａの中途部に蝶番７２を介して回動自在に取り付けられた回動プレート７３と、こ回動プレート７３の種芋搬送方向Ａ前方に配置されていて受けプレート７１の底壁７１ａに枢支された突張りロッド７４と、回動プレート７３の種芋搬送方向Ａ前方側の面と受けプレート７１の底壁７１ａの種芋搬送方向Ａ前端部との間に介装された引張りバネ７５とを備えている。
【００２９】
受けプレート７１の縦壁７１ｂの種芋搬送方向Ａ前方側の面には弾性板７６が貼設され、受けプレート７１の底壁７１ａ上の、縦壁７１ｂと回動プレート７３との間には載置スポンジ７７が貼設され、回動プレート７３の種芋搬送方向Ａ後方側の面には押えスポンジ７８が貼設され、回動プレート７３の種芋搬送方向Ａ前方側の面には突張りロッド７４を引っ掛ける係止突起７９が設けられている。
前記構成の種芋搬送装置３５にあっては、挟持装置６４は搬送ベルト６３の上部において左右方向に移送され、挟持装置６４が搬送ベルト６３の上部に位置し且つ突張りロッド７４が係止突起７９から外れている状態で、種芋は作業者によって受け皿３３上から取り上げられて載置スポンジ７７上へと載せられ、その後、挟持装置６４の回動プレート７３は搬送ベルト６３の上部側の種芋搬送経路に設けられた図示省略のロック装置によって種芋搬送方向Ａ後方側に回動されて種芋が載置スポンジ７７と押えスポンジ７８との間で挟持されると共に該状態を維持すべく突張りロッド７４が係止突起７９に係合するよう構成されている。
【００３０】
種芋は挟持装置６４によって挟持された状態で下方に搬送され、挟持装置６４が作溝器３４の上方側に至ると図示省略のロック解除装置によって突張りロッド７４が係止突起７９から外されて種芋の挟持が解除され、該種芋が作溝器３４によって形成された植付溝に落下する。
植付溝に落下した種芋は畝整形器５によって形成された畝Ｒによって埋設される。
なお、種芋搬送装置３５の下部側において挟持装置６４から解放された種芋をガイドシュートによって作溝器３４上方へと案内するようにしてもよい。
【００３１】
また、種芋搬送装置３５は、本実施形態のものに限定されることはなく、受け皿３３側から植付溝へと搬送できるものであればよい。
前記構成の種芋プランタ１にあっては、従来のように種芋の入ったコンテナ３６をタンクの上方側へと持ち上げる必要がなくなるので労働力の軽減が図れ、また、コンテナ３６は蓋をした状態で受け台３２にセットするので、種芋がこぼれることがない。
また、コンテナ３６の開口３８を塞ぐ蓋体３７に、種芋排出口４３と、該種芋排出口４３を開閉する開閉蓋４４を設けていて、コンテナ３６に加工をする必要がないので、通常の（市販の）コンテナ３６を使用することができる。
【００３２】
また、従来の種芋プランタの種芋貯留用のタンクは、通常、鋼板によって形成されるが、前記実施形態では、樹脂製の既製のコンテナ３６をタンクの代わりに使用するので、安価に提供でき且つ軽量化を図れる。
また、種芋プランタ１には、１又は２つ（３つ以上であってもよい）の受け台３２が設けられ、種芋を植え付ける圃場の大きさによっては、コンテナ３６の、１又は２個分の数の種芋では足らない場合があるが、この場合において、多数（複数）のコンテナ３６を用意しておいて、各コンテナ３６に種芋を収容しておき、種芋プランタ１に載せた１又は２つのコンテナ３６が空になって種芋が入ったコンテナ３６に取り替える場合において、いままで使用していた種芋貯留容器３１の蓋体３７を取り外して種芋が入った他のコンテナ３６に付け替えるようにすることにより、蓋体３７を用意したコンテナ３６の数だけ用意する必要がなく、多数（複数）のコンテナ３６が必要な場合でも、蓋体３７は少なくとも受け台３２に載せられるコンテナ３６の数だけあればたりる。
【図面の簡単な説明】
【００３３】
【図１】種芋貯留容器を受け台に載せた状態の側面断面図である。
【図２】トラクタに装着された状態の種芋プランタの全体側面図である。
【図３】（ａ）は種芋貯留容器の正面図であり、（ｂ）は種芋貯留容器の側面図であり、（ｃ）はコンテナに対する蓋体の他の取付構造を示す正面図である。
【図４】種芋を挟持する挟持装置の斜視図である。
【符号の説明】
【００３４】
３１    種芋貯留容器
３２    受け台
３３    受け皿
３６    コンテナ
３７    蓋体
３８    開口
４３    種芋排出口
４４    開閉蓋
【図１】
2009039005.tif 000003
【図２】
2009039005.tif 000004
【図３】
2009039005.tif 000005
【図４】
2009039005.tif 000006